(57)【要約】【課題】転写制御処理、及び定着制御処理等の所定の処理ができること、又は所定の処理を行うための処理負荷を少なくすることを目的とする。【解決手段】画像データに基づいて行う書込処理であって、前記画像データに基づいて露光を行うためのデータである露光データの生成と、前記画像データに基づいて全色の画素データの生成と、前記全色の画素データに基づいた所定の処理と、前記露光データを書き込む処理である書込処理と、を行う第１の書込処理と、前記第１の書込処理の前記全色の画素データのうち所定の色の画像データを取得し、取得した画像データに基づいて露光データの生成と、前記所定の色の画像データで生成した露光データの書込処理と、を行う第２の書込処理により上記課題を解決する。【選択図】図６
2015212729.tif 000002
【特許請求の範囲】
【請求項１】
画像データに基づいて書込処理を行う書込処理装置であって、
前記画像データに基づいて露光を行うためのデータである露光データの生成と、前記画像データに基づいて全色の画素データの生成と、前記全色の画素データに基づいた所定の処理と、前記露光データを書き込む処理である書込処理と、を行う第１の書込処理手段と、
前記第１の書込処理手段から前記全色の画素データのうち所定の色の画像データを取得し、取得した画像データに基づいて露光データの生成と、前記所定の色の画像データで生成した露光データの書込処理と、を行う第２の書込処理手段と、を有する書込処理装置。
【請求項２】
画像形成装置に接続する書込処理装置であって、
前記所定の処理は、
前記画像形成装置に、
前記画像形成装置の転写に係る電流を前記画素データに基づいて制御させる転写制御処理である請求項１に記載の書込処理装置。
【請求項３】
画像形成装置に接続する書込処理装置であって、
前記所定の処理は、
前記画像形成装置に、
前記画像形成装置の定着に係る温度を前記画素データに基づいて制御させる定着制御処理である請求項１に記載の書込処理装置。
【請求項４】
画像形成装置に接続する書込処理装置であって、
前記所定の処理は、
前記画像形成装置に、
前記画像形成装置の感光体の故障を前記画素データに基づいて予測する故障予測処理である請求項１に記載の書込処理装置。
【請求項５】
画像形成装置に接続する書込処理装置であって、
前記所定の処理は、
前記画像形成装置に、
前記画像形成装置の前記画素データに基づいて濃度調整、及び色ずれ補正の少なくともいずれかを行わせるプロセス制御処理である請求項１に記載の書込処理装置。
【請求項６】
画像形成装置に接続する書込処理装置であって、
前記所定の処理は、
前記画像形成装置に、
前記画像形成装置の前記画素データに基づいて画像形成に係るトナー補給量を制御させるトナー補給制御処理である請求項１に記載の書込処理装置。
【請求項７】
請求項１乃至６のいずれかに記載の書込処理装置を有する光走査装置。
【請求項８】
請求項１乃至６のいずれかに記載の書込処理装置を有する画像形成装置。
【請求項９】
画像データに基づいて書込処理を行う書込処理装置と、処理装置と、を有する書込処理システムであって、
前記書込処理装置は、
前記画像データに基づいて露光を行うためのデータである露光データの生成と、前記画像データに基づいて全色の画素データの生成と、前記露光データを書き込む処理である書込処理と、を行う第１の書込処理手段と、
前記第１の書込処理手段から前記全色の画素データのうち所定の色の画像データを取得し、取得した画像データに基づいて露光データの生成と、前記所定の色の画像データで生成した露光データの書込処理と、を行う第２の書込処理手段と、を有する書込処理装置と、を有し、
前記処理装置は、
前記第１の書込処理手段から前記画素データを取得して所定の処理を行う処理手段を有する書込処理システム。
【請求項１０】
画像データに基づいて書込処理を行う書込処理装置に行わせる書込処理方法であって、
前記書込処理装置に、
前記画像データに基づいて露光を行うためのデータである露光データの生成と、前記画像データに基づいて全色の画素データの生成と、前記全色の画素データに基づいた所定の処理と、前記露光データを書き込む処理である書込処理と、を行わせる第１の書込処理手順と、
前記第１の書込処理手順で用いる前記全色の画像データのうち所定の色の画像データを取得し、取得した画像データに基づいて露光データの生成と、前記所定の色の画像データで生成した露光データの書込処理と、を行わせる第２の書込処理手順と、を有する書込処理方法。
【発明の詳細な説明】
【技術分野】
【０００１】
本発明は、書込処理装置、書込処理システム、光走査装置、画像形成装置、及び画像形成方法に関する。
【背景技術】
【０００２】
従来、入力画像データを記憶領域を複数有する記憶手段を用いて記憶し、記憶した入力画像データを展開処理する方法が知られている（例えば、特許文献１参照）。
【発明の概要】
【発明が解決しようとする課題】
【０００３】
しかしながら、従来方法では、画像データは、色ごとに記憶されている箇所が分かれていたため、行うことができない処理、又は処理負荷が大きい処理がある場合があった。
【０００４】
本発明の１つの側面は、転写制御処理、及び定着制御処理等の所定の処理ができること、又は所定の処理を行うための処理負荷を少なくできることを目的とする。
【課題を解決するための手段】
【０００５】
一態様における、画像データに基づいて書込処理を行う書込処理装置であって、前記画像データに基づいて露光を行うためのデータである露光データの生成と、前記画像データに基づいて全色の画素データの生成と、前記全色の画素データに基づいた所定の処理と、前記露光データを書き込む処理である書込処理と、を行う第１の書込処理手段と、前記第１の書込処理手段から前記全色の画素データのうち所定の色の画像データを取得し、取得した画像データに基づいて露光データの生成と、前記所定の色の画像データで生成した露光データの書込処理と、を行う第２の書込処理手段と、を有することを特徴とする。
【発明の効果】
【０００６】
転写制御処理、及び定着制御処理等の所定の処理ができること、又は所定の処理を行うための処理負荷を少なくすることができる。
【図面の簡単な説明】
【０００７】
【図１】本発明の一実施形態に係る画像形成装置の全体構成の一例を説明する概要図である。
【図２】本発明の一実施形態に係る画像形成装置による画像形成プロセスの一例を説明する概要図である。
【図３】本発明の一実施形態に係る光走査装置の構成の一例を説明する概要図である。
【図４】本発明の一実施形態に係る画像形成装置のハードウェア構成の一例を説明するブロック図である。
【図５】従来の画像形成装置の機能構成の一例を説明する機能ブロック図である。
【図６】本発明の一実施形態に係る画像形成装置の機能構成の一例を説明する機能ブロック図である。
【図７】本発明の一実施形態に係る画像形成装置のデータの流れの一例を説明するブロック図である。
【図８】従来の機能構成の場合で画素データを取得する処理の一例を説明するタイミングチャートである。
【図９】本発明の一実施形態に係る画像形成装置の機能構成の場合で画素データを取得する処理の一例を説明するタイミングチャートである。
【発明を実施するための形態】
【０００８】
以下、本発明の実施の形態について説明する。
【０００９】
＜第１実施形態＞
＜画像形成装置の概略構成＞
図１は、本発明の一実施形態に係る画像形成装置の全体構成の一例を説明する概要図である。
【００１０】
画像形成装置１００は、例えばカラー画像形成でタンデム方式と称される二次転写機構を有する電子写真方式の画像形成装置である。以下、画像形成装置１００を例に説明する。
【００１１】
画像形成装置１００は、中間転写ユニット（図示せず）を有する。中間転写ユニットは、無端ベルトの中間転写ベルト１０を有する。中間転写ベルト１０は、３つの支持ローラ１４乃至１６に掛けられ、図１の場合、時計回りに回転する。
【００１２】
中間転写体クリーニングユニット１７は、作像プロセスが行われた後、中間転写ベルト１０の上に残留するトナーを除去する。
【００１３】
作像装置２０は、クリーニングユニット１３と、帯電ユニット１８と、除電ユニット１９と、現像ユニット２９と、感光体ユニット４０と、を有する。
【００１４】
画像形成装置１００は、図１の場合、イエロー（Ｙ）、マゼンタ（Ｍ）、シアン（Ｃ）、及びブラック（Ｋ）の各色（以下、適宜括弧内に示した記号で色を表す場合がある）に対応して別々の作像装置２０を有する。
【００１５】
作像装置２０は、第１の支持ローラ１４と第２の支持ローラ１５の間に設置される。各色の作像装置２０は、中間転写ベルト１０の搬送方向に、イエロー（Ｙ）、マゼンタ（Ｍ）、シアン（Ｃ）、及びブラック（Ｋ）の順で設置されている。
【００１６】
作像装置２０は、画像形成装置１００に対して脱着が可能である。作像装置２０の詳細は、後述する。
【００１７】
光ビーム走査装置２１は、各色の感光体ユニット４０の感光体ドラムに画像形成のための光ビームを照射する。
【００１８】
二次転写ユニット２２は、２つのローラ２３と、二次転写ベルト２４と、を有する。
【００１９】
二次転写ベルト２４は、無端ベルトであり、２つのローラ２３に掛けられ、回転する。ローラ２３及び二次転写ベルト２４は、中間転写ベルト１０を押し上げて、第３の支持ローラ１６に押し当てるように設置される。
【００２０】
二次転写ベルト２４は、中間転写ベルト１０の上に形成された画像を、記録媒体へ転写する。記録媒体は、例えば紙、又はプラスチックシート等である。以下、記録媒体が紙の場合を例に説明する。
【００２１】
定着ユニット２５は、定着のプロセスを行う。定着ユニット２５には、トナー像が転写された記録媒体が送られる。定着ユニット２５は、定着ベルト２６、及び加圧ローラ２７を有する。定着ベルト２６は、無端ベルトである。定着ベルト２６、及び加圧ローラ２７は、定着ベルト２６に、加圧ローラ２７を押し当てるように設置される。定着ユニット２５は、加熱を行う。
【００２２】
シート反転ユニット２８は、送られてきた記録媒体の表面と裏面を反転させる。シート反転ユニット２８は、表面に画像形成した後、裏面に画像形成する場合に用いられる。
【００２３】
自動給紙装置（ＡＤＦ（Ａｕｔｏ  Ｄｏｃｕｍｅｎｔ  Ｆｅｅｄｅｒ））４００は、操作ユニット（図示せず）のスタートボタンが押され、かつ、給紙台３０の上に記録媒体がある場合、記録媒体をコンタクトガラス３２の上に搬送する。自動給紙装置４００は、給紙台３０の上に記録媒体がない場合、ユーザによって置かれたコンタクトガラス３２の上の記録媒体を読み取るために、画像読み取りユニット３００を起動させる。
【００２４】
画像読み取りユニット３００は、第１のキャリッジ３３と、第２のキャリッジ３４と、結像レンズ３５と、ＣＣＤ（Ｃｈａｒｇｅ  Ｃｏｕｐｌｅｄ  Ｄｅｖｉｃｅ）３６と、光源（図示せず）と、を有する。
【００２５】
画像読み取りユニット３００は、コンタクトガラス３２の上の記録媒体を読み取るために、第１のキャリッジ３３、及び第２のキャリッジ３４を動作させる。
【００２６】
第１のキャリッジ３３にある光源は、コンタクトガラス３２に向かって発光する。第１のキャリッジ３３にある光源からの光は、コンタクトガラス３２の上の記録媒体で反射する。
【００２７】
反射した光は、第１のキャリッジ３３にある第１のミラー（図示せず）で、第２のキャリッジ３４に向かって反射する。第２のキャリッジ３４に向かって反射した光は、結像レンズ３５を通して、読み取りセンサであるＣＣＤ３６に結像する。
【００２８】
画像形成装置１００は、ＣＣＤ３６で得た情報に基づいてＹ、Ｍ、Ｃ、及びＫ等の各色に対応する画像データを作成する。
【００２９】
画像形成装置１００は、操作ユニット（図示せず）のスタートボタンが押された場合、ＰＣ（Ｐｅｒｓｏｎａｌ  Ｃｏｍｐｕｔｅｒ）等の外部装置（図示せず）から画像形成の指示があった場合、中間転写ベルト１０の回転を開始する。また、画像形成装置１００は、ファクシミリの出力指示があった場合、中間転写ベルト１０の回転を開始する。
【００３０】
中間転写ベルト１０の回転が開始された場合、作像装置２０は、作像プロセスを開始する。トナー画像が転写された記録媒体は、定着ユニット２５に送られる。定着ユニット２５は、定着のプロセスを行うことによって、記録媒体に画像が画像形成される。
【００３１】
給紙テーブル２００は、給紙ローラ４２と、給紙ユニット４３と、分離ローラ４５と、搬送コロユニット４６と、を有する。給紙ユニット４３は、複数の給紙トレイ４４を有する場合がある。搬送コロユニット４６は、搬送ローラ４７を有する。
【００３２】
給紙テーブル２００は、給紙ローラ４２のうち１つを選択する。給紙テーブル２００は、選択した給紙ローラ４２を回転させる。
【００３３】
給紙ユニット４３は、複数の給紙トレイ４４のうち１つを選択し、給紙トレイ４４から記録媒体を送る。送り出された記録媒体は、分離ローラ４５によって１枚に分離され、搬送コロユニット４６に入れられる。
【００３４】
搬送コロユニット４６は、搬送ローラ４７によって記録媒体を画像形成装置１００に送る。
【００３５】
記録媒体は、搬送コロユニット４８によってレジストローラ４９に送られる。レジストローラ４９に送られた記録媒体は、レジストローラ４９に突き当てて止められる。記録媒体は、トナー画像が二次転写ユニット２２に進入する際に、所定の位置に転写が行われるタイミングで二次転写ユニット２２に搬送される。
【００３６】
記録媒体は、手差しトレイ５１から送られてもよい。手差しトレイ５１から記録媒体を送る場合、画像形成装置１００は、給紙ローラ５０、及び給紙ローラ５２を回転させる。
【００３７】
給紙ローラ５０及び給紙ローラ５２は、手差しトレイ５１上にある複数の記録媒体から１枚の記録媒体に分離させる。給紙ローラ５０、及び給紙ローラ５２は、分離させた記録媒体を給紙路５３へ送る。給紙路５３に送られた記録媒体は、レジストローラ４９に送られる。記録媒体がレジストローラ４９に送られた以降の処理は、給紙テーブル２００から記録媒体を送る場合と同様である。
【００３８】
記録媒体は、定着ユニット２５によって定着され、排出される。定着ユニット２５から排出された記録媒体は、切換爪５５によって排出ローラ５６に送られる。排出ローラ５６は、送られてきた記録媒体を排紙トレイ５７に送る。
【００３９】
また、切換爪５５は、定着ユニット２５から排出された記録媒体をシート反転ユニット２８に送ってもよい。シート反転ユニット２８は、送られてきた記録媒体の表面と裏面を反転させる。反転させられた記録媒体は、表面と同様に裏面に画像形成、いわゆる両面印刷が行われ、排紙トレイ５７へ送られる。
【００４０】
一方、中間転写ベルト１０に残るトナーは、中間転写体クリーニングユニット１７によって除去される。画像形成装置１００は、中間転写ベルト１０に残るトナーが除去されると、次の画像形成に備える。
【００４１】
なお、画像形成装置１００は、図１の構成に限られない。画像形成装置１００は、５色以上の色を用いて画像形成を行ってもよい。画像形成装置１００が５色以上の色を用いる場合、画像形成装置１００は、用いる色の数に合わせて作像装置２０の有する数が変更される。
【００４２】
図２は、本発明の一実施形態に係る画像形成装置による画像形成プロセスの一例を説明する概要図である。
【００４３】
画像形成装置１００は、中間転写ベルト１０と、各色に対応した作像装置２０と、各色に対応した光ビーム走査装置２１と、中間転写体クリーニングユニット１７と、二次転写ユニット２２と、を有する。
【００４４】
光ビーム走査装置２１から、作像装置２０に光ビームが入射される。光ビーム走査装置２１の詳細は、後述する。
【００４５】
作像装置２０は、入射された光ビームに基づいて作像プロセスを行う。電子写真の画像形成のプロセスは、帯電、露光、現像、転写、及び定着の５つのプロセスが行われる。作像プロセスは、帯電、露光、現像、及び転写である。
【００４６】
作像装置２０は、作像プロセスで、各色のトナー画像を中間転写ベルト１０に形成する。各色の作像装置２０が形成した各色のトナー画像を順に重ねて、４色のカラーのトナー画像が形成される。
【００４７】
作像装置２０の感光体ユニット４０には、画像データに基づいて変調された光ビームが入射される。
【００４８】
帯電ユニット１８は、帯電のプロセスを行う。帯電のプロセスは、帯電ユニット１８が感光体ユニット４０の表面を帯電させるプロセスである。
【００４９】
帯電した感光体ユニット４０は、光ビームにより露光のプロセスが行われる。露光のプロセスは、感光体ユニット４０の表面に静電潜像を形成するプロセスである。
【００５０】
現像ユニット２９は、現像のプロセスを行う。現像のプロセスは、感光体ユニット４０に形成された静電潜像に対してトナーを付着させ、トナー画像を形成するプロセスである。現像ユニット２９には、トナーボトル（図示せず）からトナーの供給が行われる。
【００５１】
トナー画像は、転写器６２によって中間転写ベルト１０の上に転写される。
【００５２】
作像された各色のトナー像は、中間転写ベルト１０の上で重ねられ、１つのトナー画像として記録媒体に転写される。
【００５３】
転写の後、除電ユニット１９は、感光体ユニット４０の除電を行い、クリーニングユニット１３は、トナー画像の除去を行う。
【００５４】
転写されたトナー画像が二次転写ユニット２２に進入する際、媒体は、二次転写ユニット２２に送られる。二次転写ユニット２２に送られた記録媒体に、中間転写ベルト１０の上のトナー画像が転写される。
【００５５】
二次転写ユニット２２は、中間転写ベルト１０に形成された４色のカラーのトナー画像を記録媒体に転写する。その後、定着ユニット２５が定着のプロセスを行う。
【００５６】
中間転写体クリーニングユニット１７は、転写プロセスの後、４色のカラーのトナー画像を除去する。
【００５７】
＜光走査装置＞
図３は、本発明の一実施形態に係る光走査装置の構成の一例を説明する概要図である。図３は、図２の光ビーム走査装置２１を上から見た上面図である。光ビーム走査装置２１は、各色の光ビーム走査装置２１とも同じ構成である。
【００５８】
光走査装置は、例えば光ビーム走査装置２１である。光ビーム走査装置２１は、光学要素２１１、及び書込処理装置２１２を有する。以下、。光ビーム走査装置２１を例に説明する。
【００５９】
光学要素２１１は、ポリゴンミラー１１、ｆθレンズ１２、ＬＤ（Ｌａｓｅｒ  Ｄｉｏｄｅ）制御ボード３１、折り返しミラー３７、及び同期ミラー３８等である。光学要素２１１は、同期レンズ３９、シリンダレンズ４１、同期センサ５４等である。
【００６０】
書込処理装置２１２は、光学要素２１１の各要素を制御信号で制御し、光ビームの走査を制御する。書込処理装置２１２の詳細は、後述する。
【００６１】
ＬＤ制御ボード３１は、光ビームを発光させる光源を有する。光源は、例えばＬＤである。以下、光源がＬＤの場合を例に説明する。
【００６２】
ＬＤ制御ボード３１の光源は、画像形成装置１００に入力される画像データに基づいて点灯が制御される。ＬＤ制御ボード３１から発光された光ビームは、シリンダレンズ４１を通り、ポリゴンミラー１１で反射する。ポリゴンミラー１１は、モータ（図示せず）によって回転し、入射してきた光ビームを偏向させる。
【００６３】
ポリゴンミラー１１で反射した光は、ｆθレンズ１２を通り、折り返しミラー３７に向かう。折り返しミラー３７で反射した光は、各色の作像装置２０に入射し、感光体ユニット４０の上を走査する。
【００６４】
主走査方向の書き出しである端部では、ｆθレンズ１２を通った光は、同期ミラー３８で反射し、同期レンズ３９を通って、同期センサ５４に入射する。同期センサ５４は、入射する光から主走査方向の書き出し開始のタイミングを検出する。
【００６５】
なお、主走査方向は、記録媒体の搬送方向に対して垂直方向である。副走査方向は、記録媒体の搬送方向である。以下、主走査方向、及び副走査方向は、同様に記載する。
【００６６】
＜ハードウェア構成＞
図４は、本発明の一実施形態に係る画像形成装置のハードウェア構成の一例を説明するブロック図である。
【００６７】
画像形成装置１００は、ＣＰＵ（Ｃｅｎｔｒａｌ  Ｐｒｏｃｅｓｓｉｎｇ  Ｕｎｉｔ）１００Ｄ１と、記憶装置１００Ｄ２と、制御装置１００Ｄ３と、を有する。画像形成装置１００は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１００Ｄ４と、Ｉ／Ｆ（ｉｎｔｅｒｆａｃｅ）１００Ｄ５と、を有する。画像形成装置１００の有する各ハードウェアは、バス（Ｂｕｓ）によって接続され、相互にデータを送受信する。
【００６８】
ＣＰＵ１００Ｄ１は、画像形成装置１００の行う各処理を実現するための演算、及び各装置の制御を行う。
【００６９】
記憶装置１００Ｄ２は、ＣＰＵ１００Ｄ１、及びＡＳＩＣ１００Ｄ４が用いるデータ、プログラム、及び設定等を記憶する。記憶装置１００Ｄ２は、いわゆるメモリ（Ｍｅｍｏｒｙ）等である。
【００７０】
制御装置１００Ｄ３は、画像形成装置１００の有する図１の定着ユニット２５等の各装置をＣＰＵ１００Ｄ１、及びＡＳＩＣ１００Ｄ４の制御に基づいて動作させる。
【００７１】
ＡＳＩＣ１００Ｄ４は、画像形成装置１００の行う各処理を実行する電子回路である。
【００７２】
Ｉ／Ｆ１００Ｄ５は、画像形成装置１００にデータ、パラメータ、及びユーザによる操作等を入出力するためのインタフェースである。Ｉ／Ｆ１００Ｄ５は、ネットワークに接続するためのコネクタ、又は入力装置等である。
【００７３】
画像形成装置１００は、制御装置１００Ｄ３、ＡＳＩＣ１００Ｄ４、及びＩ／Ｆ１００Ｄ５を有する。画像形成装置１００は、制御装置１００Ｄ３、ＡＳＩＣ１００Ｄ４、及びＩ／Ｆ１００Ｄ５を複数有する構成でもよい。
【００７４】
なお、ハードウェア構成は、図４の構成に限られない。例えば画像形成装置１００は、ＣＰＵ１００Ｄ１を複数有する構成であってもよい。また、各ハードウェアの接続は、バスによる接続に限られない。例えばバスに代えてシリアルＩ／Ｆ等による接続のハードウェアがあってもよい。
【００７５】
また、ＡＳＩＣ１００Ｄ４は、ＦＰＧＡ（Ｆｉｅｌｄ−Ｐｒｏｇｒａｍｍａｂｌｅ  Ｇａｔｅ  Ａｒｒａｙ）等のＰＬＤ（Ｐｒｏｇｒａｍｍａｂｌｅ  Ｌｏｇｉｃ  Ｄｅｖｉｃｅ）であってもよい。
【００７６】
＜従来の機能構成＞
図５は、従来の画像形成装置の機能構成の一例を説明する機能ブロック図である。
【００７７】
図５の構成の場合、画像形成装置１００は、入力された画像データをイエロー（Ｙ）、マゼンタ（Ｍ）、シアン（Ｃ）、及びブラック（Ｋ）の４色版で作像する。図示するように、各色版は、１版を４個の光源で露光する。
【００７８】
画像形成装置１００は、画像展開処理部１００Ｆ１と、第１書込処理部１００Ｆ２と、第２書込処理部１００Ｆ３と、エンジン制御部１００Ｆ４と、光源ドライバ部１００Ｆ５と、光学要素部１００Ｆ６と、を有する。
【００７９】
画像展開処理部１００Ｆ１は、プリンタアプリの場合、いわゆるコントローラ（Ｃｏｎｔｒｏｌｌｅｒ）となる機能を有する。画像展開処理部１００Ｆ１は、コピーアプリの場合、スキャナ等となる機能を有する。画像展開処理部１００Ｆ１は、画像形成装置１００に画像データを入力するための展開処理を行う。
【００８０】
画像展開処理部１００Ｆ１は、後段の処理が可能な形式に画像データのフォーマットを変換する処理等を行う。画像展開処理部１００Ｆ１は、例えば図４のＡＳＩＣ１００Ｄ４等で実現される。
【００８１】
第１書込処理部１００Ｆ２、及び第２書込処理部１００Ｆ３は、展開処理された画像データを後段の光源ドライバ部１００Ｆ５等が行う露光を行う装置が読み取り可能な形式である露光データに変換する処理を行う。第１書込処理部１００Ｆ２、及び第２書込処理部１００Ｆ３は、例えば図４のＡＳＩＣ１００Ｄ４等で実現される。
【００８２】
エンジン制御部１００Ｆ４は、画像形成装置１００の有する各装置を制御し、装置全体の制御を行う。エンジン制御部１００Ｆ４は、例えばモータ、クラッチ、及び電源等のＩ／Ｏ（ｉｎｐｕｔ／ｏｕｔｐｕｔ）制御と、電源制御等と、を行う。エンジン制御部１００Ｆ４は、例えば図４のＣＰＵ１００Ｄ１等で実現される。
【００８３】
光源ドライバ部１００Ｆ５は、図３のＬＤ制御ボード３１等を制御し、図３のＬＤ制御ボード３１の有する光源であるレーザダイオード等の点灯を制御する。光源ドライバ部１００Ｆ５は、露光を行うためのいわゆるドライバ（Ｄｒｉｖｅｒ）である。光源ドライバ部１００Ｆ５は、例えば図４の制御装置１００Ｄ３等で実現される。
【００８４】
なお、光源は、レーザダイオードに限られない。光源は、例えばレーザダイオードアレイ（Ｌａｓｅｒ  Ｄｉｏｄｅ  Ａｒｒａｙ）等でもよい。光源は、例えばＶＣＳＥＬ（Ｖｅｒｔｉｃａｌ  Ｃａｖｉｔｙ  Ｓｕｒｆａｃｅ  Ｅｍｉｔｔｉｎｇ  Ｌａｓｅｒ）、又はラインヘッド（ｌｉｎｅ  ｓｃａｎ  ｈｅａｄ）等でもよい。
【００８５】
第１書込処理部１００Ｆ２、及び第２書込処理部１００Ｆ３は、図５の構成の場合、それぞれ８個の光源を駆動する。図５の構成は、いわゆる高速機の構成である。１版あたりの光源の数は、画像形成装置１００の生産性に基づいて決定する。生産性の低い、いわゆる低速機の場合、１版あたりの光源の数は、１個でもよい。生産性の中程度、いわゆる中速機の場合、１版あたりの光源の数は、２個でもよい。１版あたりの光源の数が２個の場合、かつ、４版の場合、光源の数は、８個であり、画像形成装置１００は、第１書込処理部１００Ｆ２だけを有する構成でもよい。
【００８６】
従来の構成である図５では、画像形成装置１００は、図示するように第１書込処理部１００Ｆ２と、第２書込処理部１００Ｆ３と、をパラレル（Ｐａｒａｌｌｅｌ）に接続する構成である。第１書込処理部１００Ｆ２、及び第２書込処理部１００Ｆ３は、それぞれ所定の色版の画像データのみを取得し、各色版の露光データを出力する。図５では、第１書込処理部１００Ｆ２は、イエロー（Ｙ）、及びマゼンタ（Ｍ）の色版のデータのみを処理する。図５では、第２書込処理部１００Ｆ３は、シアン（Ｃ）、及びブラック（Ｋ）の色版のデータのみを処理する。
【００８７】
＜本発明の一実施形態に係る機能構成＞
図６は、本発明の一実施形態に係る画像形成装置の機能構成の一例を説明する機能ブロック図である。
【００８８】
図６の画像形成装置１００は、図５の構成と、第１書込処理部１００Ｆ２、及び第２書込処理部１００Ｆ３の接続構成が異なる。また、図６の画像形成装置１００の有する第１書込処理部１００Ｆ２は、図５の第１書込処理部１００Ｆ２と行う処理が異なる。
【００８９】
図６の構成は、第１書込処理部１００Ｆ２がイエロー（Ｙ）、マゼンタ（Ｍ）、シアン（Ｃ）、及びブラック（Ｋ）の４色版の画像データを取得する。図６の構成は、第２書込処理部１００Ｆ３が第１書込処理部１００Ｆ２に接続し、第１書込処理部１００Ｆ２から色版の画像データを取得する。図６では、画像形成装置１００は、図示するように第１書込処理部１００Ｆ２と、第２書込処理部１００Ｆ３と、をカスケード（ｃａｓｃａｄｅ）に接続する構成である。
【００９０】
図５の構成と異なり、第１書込処理部１００Ｆ２は、用いる４色版の画像データを取得する。したがって、第１書込処理部１００Ｆ２は、用いる４色版の画像データを有することができる。第１書込処理部１００Ｆ２は、４色版の画像データに基づいて所定の処理を行うことができる。
【００９１】
＜書込処理部に係る構成＞
図７は、本発明の一実施形態に係る画像形成装置のデータの流れの一例を説明するブロック図である。
【００９２】
画像形成装置１００は、コントローラ１００Ｆ１０と、ページメモリ１００Ｆ１１と、書込処理装置２１２と、を有する。
【００９３】
コントローラ１００Ｆ１０は、図６の画像展開処理部１００Ｆ１の機能を有する。コントローラ１００Ｆ１０は、ＰＣ等の外部装置、及びスキャナ等の入力装置等から画像データを取得する。プリンタアプリの場合、画像データは、ＰＣから印刷指示があった際、ＰＣの有するプリンタドライバによってコントローラ１００Ｆ１０に入力される。コントローラ１００Ｆ１０は、取得した画像データを例えばビットマップ（Ｂｉｔｍａｐ）形式のフォーマットに変換する展開処理を行う。コントローラ１００Ｆ１０は、展開処理した画像データを書込処理装置２１２に出力する。
【００９４】
ページメモリ１００Ｆ１１は、コントローラ１００Ｆ１０の作業領域となる記憶領域を生成する。ページメモリ１００Ｆ１１は、例えば図４の記憶装置１００Ｄ２等によって実現される。
【００９５】
書込処理装置２１２は、図６の光源ドライバ部１００Ｆに露光データを書き込むため、露光データを図６の光源ドライバ部１００Ｆ５等が読み取り可能な形式に画像データを変換する処理等を行う。書込処理装置２１２は、画像データに基づいて所定の処理を行う。書込処理装置２１２は、第１書込処理部１００Ｆ２、及び第２書込処理部１００Ｆ３を有する。
【００９６】
第１書込処理部１００Ｆ２、及び第２書込処理部１００Ｆ３は、ビデオ入力部１００Ｆ２１と、プロッタ画像処理部１００Ｆ２２と、パターンデータ生成部１００Ｆ２３と、を有する。第１書込処理部１００Ｆ２、及び第２書込処理部１００Ｆ３は、データ合成部１００Ｆ２４と、データ配列変換部１００Ｆ２５と、露光データ生成部１００Ｆ２７と、を有する。第１書込処理部１００Ｆ２は、画素データ生成部１００Ｆ２６と、処理部１００Ｆ２８と、を有する。
【００９７】
第１書込処理部１００Ｆ２のビデオ入力部１００Ｆ２１は、４色版、即ち画像形成装置が用いる全色の画像データを取得する。第２書込処理部１００Ｆ３のビデオ入力部１００Ｆ２１は、第１書込処理部１００Ｆ２のビデオ入力部１００Ｆ２１からシアン（Ｃ）、及びブラック（Ｋ）の２色版の画像データを取得する。
【００９８】
第１書込処理部１００Ｆ２のビデオ入力部１００Ｆ２１は、取得した画像データをトナー色のイエロー（Ｙ）、マゼンタ（Ｍ）、シアン（Ｃ）、及びブラック（Ｋ）の４色版の画像データに変換する処理を行う。第１書込処理部１００Ｆ２のビデオ入力部１００Ｆ２１は、変換した画像データのうち、シアン（Ｃ）、及びブラック（Ｋ）の２色版の画像データを第２書込処理部１００Ｆ３のビデオ入力部１００Ｆ２１に出力する。第１書込処理部１００Ｆ２、及び第２書込処理部１００Ｆ３のビデオ入力部１００Ｆ２１は、後段で露光を行う各光源に対応してデータを生成する。
【００９９】
プロッタ画像処理部１００Ｆ２２は、画像データを画像処理する。プロッタ画像処理部１００Ｆ２２は、各画像形成装置１００のエンジン特性に応じた画像処理を行う。画像処理は、例えばトナー付着特性に合わせて画素のエッジ部分を低減させるエッジ処理、プロセス特性による縦線と、横線と、の太さを補正する縦横比補正等である。画像処理は、例えば斜め線等のジャギー（Ｊａｇｇｙ）を補正するためのスムージング（Ｓｍｏｏｔｈｉｎｇ）補正等である。
【０１００】
パターンデータ生成部１００Ｆ２３は、各種の調整、補正、及び評価を行うためのテストパターンのデータを生成する処理を行う。テストパターンは、例えば濃度調整用のプロセスパターン、複数の色の色合わせ度合いを検出するための色ずれ検出用のテストパターン、エンジン特性と、評価と、を行うためのパターン等である。また、テストパターンは、エンジン個体を特定するための特殊パターン等でもよい。
【０１０１】
データ合成部１００Ｆ２４は、プロッタ画像処理部１００Ｆ２２が処理した画像データと、パターンデータ生成部１００Ｆ２３が生成するテストパターンのデータと、を合成する処理を行う。
【０１０２】
データ配列変換部１００Ｆ２５は、書き込み先である図６の光源ドライバ部１００Ｆに合わせて画像データの配列を変換する処理を行う。データ配列変換部１００Ｆ２５は、例えば対向走査光学系を用いる場合、主走査方向に画像データの配列を反転する。
【０１０３】
露光データ生成部１００Ｆ２７は、書き込み先である図６の光源ドライバ部１００Ｆが読み取り可能な露光データを画像データに基づいて生成する処理を行う。露光データ生成部１００Ｆ２７は、露光を行う光源が例えばレーザダイオードの場合、パワー変調、及びＰＷＭ（Ｐｕｌｓｅ  Ｗｉｄｔｈ  Ｍｏｄｕｌａｔｉｏｎ）変調を行って露光データを生成する。露光データ生成部１００Ｆ２７は、露光を行う光源が例えばラインヘッドの場合、点灯を制御するための１ビット（ｂｉｔ）の露光データを生成する。露光データは、副走査方向に面積率を変化させて階調性を向上したデータである。
【０１０４】
画素データ生成部１００Ｆ２６は、イエロー（Ｙ）、マゼンタ（Ｍ）、シアン（Ｃ）、及びブラック（Ｋ）の４色版の画像データに基づいて画素データを生成する。画素データは、所定の領域で画像形成を行うドット（ｄｏｔ）数をカウントしたデータである。即ち、画素データは、所定の領域について記録媒体に画像形成を行うドット数を各色版についてカウントし、総計した値である。画素データは、例えば画像形成を行うドットを「１」、及び行わないドットを「０」とした場合、画像形成を行うドットが多いほど画素データの値が大きくなる。画素データは、４色版の多くの色を使う濃い色の場合、特に値が大きくなる。以下、画像形成を行うドットが多いほど画素データの値が大きくなる場合を例に説明する。画素データ生成部１００Ｆ２６は、生成した画素データを処理部１００Ｆ２８に出力する。
【０１０５】
なお、画素データは、「０」と「１」の１ビットのデータに限られない。画素データは、２ビット以上の多値のデータでもよい。例えば画像データが４ビットの場合、画像データは、濃度の深さに合わせて「０」乃至「１５」の１６段階の値で濃度の深さを示すデータとなる。画素データは、画像データに基づいて、画像形成を行わないドットを「０」、及び画像形成を行うドットを濃度の深さに合わせて「１」乃至「１５」の段階でカウントするデータであってもよい。
【０１０６】
処理部１００Ｆ２８は、画素データに基づいて所定の処理を行う。処理部１００Ｆ２８は、転写制御処理部１００Ｆ２８１と、定着制御処理部１００Ｆ２８２と、故障予測処理部１００Ｆ２８３と、プロセス制御処理部１００Ｆ２８４と、トナー補給制御処理部１００Ｆ２８５と、を有する。
【０１０７】
転写制御処理部１００Ｆ２８１は、画素データに基づいて図１の二次転写ユニット２２を制御するための処理を行う。転写制御処理部１００Ｆ２８１は、画素データに基づいて転写で用いる電流を制御する。転写制御処理部１００Ｆ２８１は、例えば画素データが大きい値となる箇所の場合、転写するトナー量を多くするために、バイアス（Ｂｉａｓ）電流の値を大きくする。即ち、転写制御処理部１００Ｆ２８１は、画素データに基づいて転写するトナー量を制御するために、バイアス電流を制御する処理を行う。
【０１０８】
定着制御処理部１００Ｆ２８２は、画素データに基づいて図１の定着ユニット２５を制御するための処理を行う。定着制御処理部１００Ｆ２８２は、画素データに基づいて定着の温度を制御する。定着制御処理部１００Ｆ２８２は、例えば画素データが大きい値となる箇所の場合、定着の対象となるトナー量が多いため、定着の温度が高くなるように制御する。即ち、定着制御処理部１００Ｆ２８２は、画素データに基づいて定着の対象となるトナー量に合わせた温度で定着を行うために、定着の温度を制御する処理を行う。
【０１０９】
故障予測処理部１００Ｆ２８３は、画素データに基づいて図１の感光体ユニット４０等の故障を予測する処理を行う。故障予測処理部１００Ｆ２８３は、例えば画素データが大きい値となっている箇所を把握する。画素データが大きい値となっている箇所は、画像形成が多く行われるため、図１の感光体ユニット４０等の消耗品の消耗が激しい箇所と予測できる。図１の感光体ユニット４０は、センサ（図示せず）によって故障の計測が行われている場合が多いが、図１の感光体ユニット４０の全領域の計測が行われていない場合がある。故障予測処理部１００Ｆ２８３は、画像形成を行う領域について画素データを取得するため、センサ（図示せず）等によって計測されない領域についても故障の予測を行うことができる。
【０１１０】
プロセス制御処理部１００Ｆ２８４は、画素データに基づいて各種の調整、及び補正等の実行を制御する処理を行う。画像形成装置１００は、パターンデータ生成部１００Ｆ２３が生成するテストパターンに基づいて例えば濃度調整、及び色ずれ補正等の調整、及び補正を行う。トナー使用量が多い場合、即ち、画素データが大きい値となる場合、画像形成装置１００は、色ずれ等が発生しやすく、各種の調整、及び補正が必要な場合が多くなる。プロセス制御処理部１００Ｆ２８４は、例えば画素データが大きい値となる場合、各種の調整、及び補正を行う周期を短くなるように設定を変更、又は各種の調整、及び補正を行う。なお、各種の調整、及び補正等は、濃度調整、及び色ずれ補正に限られない。
【０１１１】
トナー補給制御処理部１００Ｆ２８５は、画素データに基づいてトナーの補給量を制御する処理を行う。画素データが大きい値となる場合、トナーは、多く消費される。したがって、トナー補給制御処理部１００Ｆ２８５は、例えば画素データが大きい値となる場合、トナーの補給量を多くする。
【０１１２】
処理部１００Ｆ２８は、画素データに基づいて１ページの書き込み可能ドット数に対する書き込みドット数の比率であるドットカバレッジ、又は課金計算のための値を計算してもよい。
【０１１３】
なお、処理部１００Ｆ２８は、転写制御処理部１００Ｆ２８１、定着制御処理部１００Ｆ２８２、故障予測処理部１００Ｆ２８３、プロセス制御処理部１００Ｆ２８４、及びトナー補給制御処理部１００Ｆ２８５のすべてが必須の構成ではない。即ち、処理部１００Ｆ２８は、各部の少なくともいずれか一つを有する構成でもよい。
【０１１４】
第１書込処理部１００Ｆ２は、４色版の画像データを取得するため、４色を合わせた画素データを生成することができる。即ち、図６の構成の場合、第１書込処理部１００Ｆ２は、画像形成装置１００の用いるすべての色について画素データを生成することができる。第１書込処理部１００Ｆ２は、画素データに基づいて所定の処理を行うことができる。
【０１１５】
＜第２実施形態＞
第２実施形態は、第１実施形態と同様に図１乃至図４で示した画像形成装置１００を用いる。第２実施形態は、第１実施形態の場合、画素データに基づいて所定の処理を行っていた第１書込処理部１００Ｆ２を、図６のエンジン制御部１００Ｆ４とする構成である。即ち、第２実施形態では、図７の処理部１００Ｆ２８は、図４のＣＰＵ１００Ｄ１等によって実現される構成である。第２実施形態は、例えば図６の書込処理装置２１２と、エンジン制御部１００Ｆ４と、を有する書込処理システムである。
【０１１６】
所定の処理を画素データに基づいて図４のＣＰＵ１００Ｄ１が行う場合、図４のＣＰＵ１００Ｄ１は、図７の画素データ生成部１００Ｆ２６から画素データを取得して行う。
【０１１７】
所定の処理である転写制御処理、定着制御処理、及びトナー補給制御処理は、副走査方向に分割した領域ごとに画素データを取得して行われる。したがって、画素データは、所定の領域ごとに取得される。
【０１１８】
＜従来の機能構成の場合＞
図８は、従来の機能構成の場合で画素データを取得する処理の一例を説明するタイミングチャートである。
【０１１９】
ＦＧＡＴＥ＿ＹＳＩＧ０１は、図７の第１書込処理部１００Ｆ２がイエローの色版について露光を行う画像領域を示す信号である。ＦＧＡＴＥ＿ＹＳＩＧ０１は、Ｈｉｇｈの状態がアサート（Ａｓｓｅｒｔ）された状態である、いわゆるハイアクティブ信号である。
【０１２０】
Ｉｒｑ＿ＹＳＩＧ０２は、イエローの色版について副走査方向に分割した領域の画素データを取得するタイミングを示す信号である。Ｉｒｑ＿ＹＳＩＧ０２は、Ｈｉｇｈの状態がアサートされた状態である、いわゆるハイアクティブ信号である。
【０１２１】
Ｃｏｕｎｔ＿ＹＳＩＧ０３は、イエローの色版についての画素データの値を記憶するメモリを示す信号である。
【０１２２】
同様に、ＦＧＡＴＥ＿ＭＳＩＧ０４、Ｉｒｑ＿ＭＳＩＧ０５、及びＣｏｕｎｔ＿ＭＳＩＧ０６は、マゼンタの色版についての信号である。同様に、ＦＧＡＴＥ＿ＣＳＩＧ０７、Ｉｒｑ＿ＣＳＩＧ０８、及びＣｏｕｎｔ＿ＣＳＩＧ０９は、シアンの色版についての信号である。ＦＧＡＴＥ＿ＫＳＩＧ１０、Ｉｒｑ＿ＫＳＩＧ１１、及びブラックのＣｏｕｎｔ＿ＫＳＩＧ１２は、ブラックの色版についての信号である。
【０１２３】
ＩＲＱＳＩＧ１３は、図７の第１書込処理部１００Ｆ２、及び第２書込処理部１００Ｆ３から図６のエンジン制御部１００Ｆ４に画素データの取得を要求する割り込み信号である。
【０１２４】
図５の構成の場合、画素データは、図７の第１書込処理部１００Ｆ２、及び第２書込処理部１００Ｆ３によって色版ごとに生成される。色版ごとに生成された画素データは、生成されたタイミング、即ちＩＲＱＳＩＧ１３がアサートされるタイミングで図６のエンジン制御部１００Ｆ４に取得を要求する。
【０１２５】
図６のエンジン制御部１００Ｆ４は、各色版の画素データを取得して４色版の画素データを生成する。
【０１２６】
＜本発明の一実施形態に係る機能構成の場合＞
図９は、本発明の一実施形態に係る画像形成装置の機能構成の場合で画素データを取得する処理の一例を説明するタイミングチャートである。
【０１２７】
ＦＧＡＴＥ＿ＹＳＩＧ０１乃至ＩＲＱＳＩＧ１３は、図８と同様である。
【０１２８】
ｍｅｍｏｒｙ１ＳＩＧ１４乃至ｍｅｍｏｒｙ１０ＳＩＧ２３は、４色版の画素データを計算するための、各色の画素データを合算している計算値を記憶するメモリを示す信号である。
【０１２９】
ｍｅｍｏｒｙ１ＳＩＧ１４乃至ｍｅｍｏｒｙ１０ＳＩＧ２３で、データ「Ｐ１」乃至データ「Ｐ１１」は、イエローの画素データ、即ちＣｏｕｎｔ＿ＹＳＩＧ０３で示す「Ｙ１」及び「Ｙ１１」と同じ値である。
【０１３０】
ｍｅｍｏｒｙ１ＳＩＧ１４乃至ｍｅｍｏｒｙ１０ＳＩＧ２３で、データ「Ｑ１」乃至データ「Ｑ１１」は、イエローの画素データにマゼンタの画素データを加算した値である。即ち、データ「Ｑ１」乃至データ「Ｑ１１」の値は、データ「Ｐ１」乃至データ「Ｐ１１」にＣｏｕｎｔ＿ＭＳＩＧ０６で示す「Ｍ１」及び「Ｍ１１」に記憶されている値を加算した値である。
【０１３１】
ｍｅｍｏｒｙ１ＳＩＧ１４乃至ｍｅｍｏｒｙ１０ＳＩＧ２３で、データ「Ｒ１」乃至データ「Ｒ１１」は、イエロー、マゼンタ、及びシアンの画素データを加算した値である。即ち、データ「Ｒ１」乃至データ「Ｒ１１」の値は、データ「Ｑ１」乃至データ「Ｑ１１」にＣｏｕｎｔ＿ＣＳＩＧ０９で示す「Ｃ１」及び「Ｃ１１」に記憶されている値を加算した値である。
【０１３２】
ｍｅｍｏｒｙ１ＳＩＧ１４乃至ｍｅｍｏｒｙ１０ＳＩＧ２３で、データ「Ｓ１」乃至データ「Ｓ１１」は、イエロー、マゼンタ、シアン、及びブラックの画素データを加算した値である。即ち、データ「Ｓ１」乃至データ「Ｓ１１」の値は、データ「Ｒ１」乃至データ「Ｒ１１」にＣｏｕｎｔ＿ＫＳＩＧ１２で示す「Ｋ１」及び「Ｋ１１」に記憶されている値を加算した値である。
【０１３３】
図７の構成の場合、図７の第１書込処理部１００Ｆ２は、４色版の画像データがあるため、４色版の画素データを計算することができる。図２で示したように、イエロー、マゼンタ、シアン、ブラックの順で作像する場合、４色版の画素データを計算は、メモリを副走査方向に分割した領域ごとに切り替えることによって行われる。
【０１３４】
図７の構成の場合、ＩＲＱＳＩＧ１３は、４色版の画素データの計算がされたタイミング、即ちデータ「Ｓ１」乃至データ「Ｓ１１」が計算されたタイミングでアサートされる。図７の構成の場合、図６のエンジン制御部１００Ｆ４は、各色版の画素データの合算を行う必要がなく、図６のエンジン制御部１００Ｆ４の計算コストを少なくすることができる。
【０１３５】
また、図７の構成の場合、ＩＲＱＳＩＧ１３がアサートされる周期は、図８で説明した図５の構成の場合と比較して、４倍にすることができる。即ち、図７の構成の場合、ＩＲＱＳＩＧ１３がアサートされる回数は、図５の構成と比較して、１／４にすることができる。よって、図７の構成の場合、画像形成装置１００は、割り込み負荷を図５の構成と比較して、１／４にすることができ、図４のＣＰＵ１００Ｄ１の割り込みによる処理負荷を少なくすることができる。
【０１３６】
第１実施形態で示した構成によって、図７の第１書込処理部１００Ｆ２は、４色版の画素データを生成することができる。生成した画素データに基づいて、画像形成装置１００は、転写制御処理、及び定着制御処理等の所定の処理を行うことができる。
【０１３７】
第２実施形態で示した構成によって、図６のエンジン制御部１００Ｆ４は、割り込みを少なくして４色版の画素データを取得することができる。また、第２実施形態で示した構成によって、図６のエンジン制御部１００Ｆ４は、各色版の画素データから４色版の画素データを計算する処理負荷を少なくすることができる。したがって、画像形成装置１００は、第２実施形態で示した構成によって、所定の処理を行うための４色版の画素データの生成に係る処理負荷を少なくすることができる。
【０１３８】
以上、本発明の好ましい実施例について詳述したが、本発明は係る特定の実施形態に限定されるものではなく、特許請求の範囲に記載された本発明の要旨の範囲内において、種々の変形、変更が可能である。
【符号の説明】
【０１３９】
１００  画像形成装置
１００Ｄ１  ＣＰＵ
１００Ｄ２  記憶装置
１００Ｄ３  制御装置
１００Ｄ４  ＡＳＩＣ
１００Ｄ５  Ｉ／Ｆ
１００Ｆ１  画像展開処理部
１００Ｆ２  第１書込処理部
１００Ｆ３  第２書込処理部
１００Ｆ２１  ビデオ入力部
１００Ｆ２２  プロッタ画像処理部
１００Ｆ２３  パターンデータ生成部
１００Ｆ２４  データ合成部
１００Ｆ２５  データ配列変換部
１００Ｆ２６  画素データ生成部
１００Ｆ２７  露光データ生成部
１００Ｆ２８  処理部
１００Ｆ２８１  転写制御処理部
１００Ｆ２８２  定着制御処理部
１００Ｆ２８３  故障予測処理部
１００Ｆ２８４  プロセス制御処理部
１００Ｆ２８５  トナー補給制御処理部
１００Ｆ４  エンジン制御部
１００Ｆ５  光源ドライバ部
１００Ｆ６  光学要素部
１００Ｆ１０  コントローラ
１００Ｆ１１  ページメモリ
１０  中間転写ベルト
１１  ポリゴンミラー
１２  ｆθレンズ
１３  クリーニングユニット
１４、１５、１６  支持ローラ
１７  中間転写体クリーニングユニット
１８  帯電ユニット
２０  作像装置
２１  光ビーム走査装置
２１Ｆ１  ＬＤ制御部
２１１  光学要素
２１２  書込処理装置
２２  二次転写ユニット
２３  ローラ
２４  二次転写ベルト
２５  定着ユニット
２６  定着ベルト
２７  加圧ローラ
２８  シート反転ユニット
２９  現像ユニット
３０  給紙台
３１  ＬＤ制御ボード
３２  コンタクトガラス
３３、３４  キャリッジ
３５  結像レンズ
３６  ＣＣＤ
３７  折り返しミラー
３８  同期ミラー
３９  同期レンズ
４０  感光体ユニット
４１  シリンダレンズ
４２、５０、５２  給紙ローラ
４３  給紙ユニット
４４  給紙トレイ
４５  分離ローラ
４６、４８  搬送用コロユニット
４７  搬送ローラ
４９  レジストローラ
５１  手差しトレイ
５３  給紙路
５４  同期センサ
５５  切換爪
６２  転写器
７０  ラインメモリ
２００  給紙テーブル
３００  画像読み取りユニット
４００  自動給紙装置（ＡＤＦ）
ＳＩＧ０１  ＦＧＡＴＥ＿Ｙ
ＳＩＧ０２  Ｉｒｑ＿Ｙ
ＳＩＧ０３  Ｃｏｕｎｔ＿Ｙ
ＳＩＧ０４  ＦＧＡＴＥ＿Ｍ
ＳＩＧ０５  Ｉｒｑ＿Ｍ
ＳＩＧ０６  Ｃｏｕｎｔ＿Ｍ
ＳＩＧ０７  ＦＧＡＴＥ＿Ｃ
ＳＩＧ０８  Ｉｒｑ＿Ｃ
ＳＩＧ０９  Ｃｏｕｎｔ＿Ｃ
ＳＩＧ１０  ＦＧＡＴＥ＿Ｋ
ＳＩＧ１１  Ｉｒｑ＿Ｋ
ＳＩＧ１２  Ｃｏｕｎｔ＿Ｋ
ＳＩＧ１３  ＩＲＱ
ＳＩＧ１４  ｍｅｍｏｒｙ１
ＳＩＧ１５  ｍｅｍｏｒｙ２
ＳＩＧ１６  ｍｅｍｏｒｙ３
ＳＩＧ１７  ｍｅｍｏｒｙ４
ＳＩＧ１８  ｍｅｍｏｒｙ５
ＳＩＧ１９  ｍｅｍｏｒｙ６
ＳＩＧ２０  ｍｅｍｏｒｙ７
ＳＩＧ２１  ｍｅｍｏｒｙ８
ＳＩＧ２２  ｍｅｍｏｒｙ９
ＳＩＧ２３  ｍｅｍｏｒｙ１０
【先行技術文献】
【特許文献】
【０１４０】
【特許文献１】特開２００７−２９０２１６号公報
【図１】
2015212729.tif 000003
【図２】
2015212729.tif 000004
【図３】
2015212729.tif 000005
【図４】
2015212729.tif 000006
【図５】
2015212729.tif 000007
【図６】
2015212729.tif 000008
【図７】
2015212729.tif 000009
【図８】
2015212729.tif 000010
【図９】
2015212729.tif 000011